(57)【要約】【課題】ジッパーの上側のシートフィルムを切り裂いた後、閉じたジッパーを開きやすい商品収容袋を提供する。【解決手段】シートフィルム３を重ね、例えば４つの端部を接着端縁３〜７として密閉状の袋を形成する。上端の接着端縁７よりも下方側の位置に袋の両側端間を横断する態様で袋内空間を上側と下側に開閉自在に区画するジッパー２を設け、その下側の袋の空間を商品の収容空間８と成す。ジッパー２と袋の上端との間の側端の接着端縁４，６に切り口９，１０を形成する。表側と裏側のシートフィルム３の例えば内側の面に、切り口９，１０から袋を横断方向に切り裂くときにその切り裂きの進行方向の途中となる箇所に他の面箇所よりも機械的強度を弱くした脆弱部位を摘み形状の輪郭を象る部位に設け、例えば切り口９からシートフィルム３を切り裂いたときに摘み形状の部位１３が形成されるようにする。【選択図】図１
2018203332.tif 000002
【特許請求の範囲】
【請求項１】
シートフィルムが重なり合う端縁同士が接着されて内部空間が密閉された袋が形成され、当該袋は少なくとも一側端に接着端縁を具備し、当該袋には上端の縁よりも下方側の位置に当該袋の両側端間を横断する態様で袋内空間を上側と下側に開閉自在に区画するジッパーが設けられ、当該ジッパーの下側の袋の空間を商品の収容空間と成し、前記ジッパーと袋の上端縁との間の前記一側端の接着端縁には切り口が形成されている商品収容袋であって、前記袋を構成する表側のシートフィルムと裏側のシートフィルムの少なくとも一方のシートフィルムの面には前記切り口を開いて袋を横断方向に切り裂くときにその切り裂きの進行方向の途中となる箇所に他の面箇所よりも機械的強度を弱くした脆弱部位を摘み形状の輪郭を象る部位に設けたことを特徴とする商品収容袋。
【請求項２】
脆弱部位は表側のシートフィルムと裏側のシートフィルムの両方の面に形成され、表側のシートフィルムに形成する脆弱部位と裏側のシートフィルムに形成する脆弱部位は完全に重なり合わないように位置をずらして又は大きさを異にして設けられていることを特徴とする請求項１記載の商品収容袋。
【請求項３】
脆弱部位は他の面箇所よりもフィルム厚さを薄くすることによって形成されていることを特徴とする請求項１または請求項２記載の商品収容袋。
【請求項４】
脆弱部位は袋の内側となるシートフィルム面に凹部を形成することで薄肉化して形成し、脆弱部位の袋の外側のフィルム面部位は凹凸のない平面部位と成したことを特徴とする請求項１または請求項２または請求項３記載の商品収容袋。
【発明の詳細な説明】
【技術分野】
【０００１】
本発明は、例えば菓子等の食品等の商品を密閉状に収容する商品収容袋に関するものである。
【背景技術】
【０００２】
例えば飴等の菓子を入れて密閉状に収容する商品収容袋が用いられており、その一例が図９に示されている。この商品収容袋１は、例えば図１０に示されるような２枚のシートフィルム３（３ａ，３ｂ）を重ね合わせ、その重なり合う端縁同士が接着されて形成されており、図９、図１０においてドットで示される４つの端部がそれぞれ接着端縁４，５，６，７と成している。なお、商品収容袋１は、シートフィルム３の少なくとも一側端に接着端縁を具備して形成されるものであり、必ずしも４つの端部が接着端縁と成していないものもある（例えば図１１、参照）。
【０００３】
図９に示される商品収容袋１袋には、上端の接着端縁７よりも下方側の位置に、商品収容袋１の両側端間を横断する態様で袋内空間を上側と下側に開閉自在に区画するジッパー２が設けられている。このジッパー２の下側の袋の空間が商品の収容空間８と成しており、ジッパー２と袋の上端の接着端縁７との間の少なくとも一側端（ここでは両端側）の接着端縁４，６には切り口９，１０が形成されている。
【０００４】
切り口９，１０はジッパー２と間隔を介した上部側に設けられており、図９（ｂ）に示されるように、ジッパー２と接着端部７との間のシートフィルム３を、ジッパー２に沿う態様でジッパー２と間隔を介した位置において切り口９，１０から切り裂く（引き裂く）ことにより、商品収容袋１を開くことができ（図９（ｂ）においては切り口９からシートフィルム３を切り裂く様子を示す）、商品の収容空間８に収容された商品を取り出すことができる。また、商品を取り出した後にジッパー２を閉じることにより、残った商品を密閉状に収容したままにすることができる。
【先行技術文献】
【特許文献】
【０００５】
【特許文献１】特開２００６−４３３２３号公報
【発明の概要】
【発明が解決しようとする課題】
【０００６】
しかしながら、図９に示したような商品収容袋１は、切り口９，１０からシート３を切り裂くと、例えば図９（ｂ）に示したように、切り裂くことにより形成された端部（上端）１１とジッパー２との距離が近く、ジッパー２の上側のシート部分１２が非常に小さい（上下方向の長さが短く狭い）ため、ジッパー２を閉じた状態でシート部分１２をつかんでジッパー２を開く動作が非常にやりにくいといった問題があった。
【０００７】
本発明は、前記課題を解決するために成されたものであり、その目的は、ジッパー付きの商品収容袋のジッパーを切り裂いて開いた後、閉じたジッパーを開きやすい商品収容袋を提供することにある。
【課題を解決するための手段】
【０００８】
上記目的を達成するために、本発明は次のような構成をもって課題を解決するための手段としている。すなわち、第１の発明は、シートフィルムが重なり合う端縁同士が接着されて内部空間が密閉された袋が形成され、当該袋は少なくとも一側端に接着端縁を具備し、当該袋には上端の縁よりも下方側の位置に当該袋の両側端間を横断する態様で袋内空間を上側と下側に開閉自在に区画するジッパーが設けられ、当該ジッパーの下側の袋の空間を商品の収容空間と成し、前記ジッパーと袋の上端縁との間の前記一側端の接着端縁には切り口が形成されている商品収容袋であって、前記袋を構成する表側のシートフィルムと裏側のシートフィルムの少なくとも一方のシートフィルムの面には前記切り口を開いて袋を横断方向に切り裂くときにその切り裂きの進行方向の途中となる箇所に他の面箇所よりも機械的強度を弱くした脆弱部位を摘み形状の輪郭を象る部位に設けた構成をもって課題を解決するための手段としている。
【０００９】
また、第２の発明は、前記第１の発明の構成に加え、前記脆弱部位は表側のシートフィルムと裏側のシートフィルムの両方の面に形成され、表側のシートフィルムに形成する脆弱部位と裏側のシートフィルムに形成する脆弱部位は完全に重なり合わないように位置をずらして又は大きさを異にして設けられていることを特徴とする。
【００１０】
さらに、第３の発明は、前記第１または第２の発明の構成に加え、前記脆弱部位は他の面箇所よりもフィルム厚さを薄くすることによって形成されていることを特徴とする。
【００１１】
さらに、第４の発明は、前記第１または第２または第３の発明の構成に加え、前記脆弱部位は袋の内側となるシートフィルム面に凹部を形成することで薄肉化して形成し、脆弱部位の袋の外側のフィルム面部位は凹凸のない平面部位と成したことを特徴とする。
【発明の効果】
【００１２】
本発明によれば、シートフィルムが重なり合う端縁同士が接着されて内部空間が密閉された袋の両側端間を横断する態様で、袋内空間を上側と下側に開閉自在に区画するジッパーを有しており、そのジッパーと袋の上端の縁との間のシートフィルムを切り口から切り裂いて用いるが、表側のシートフィルムと裏側のシートフィルムの少なくとも一方のシートフィルムにおけるジッパーと袋の上端の縁との間のシートフィルムの面には、前記切り口を開いて袋を横断方向に切り裂くときにその切り裂きの進行方向の途中となる箇所に他の面箇所よりも機械的強度を弱くした脆弱部位が摘み形状の輪郭を象る部位に設けられているので、シートフィルムを切り裂く際に、前記脆弱部位に沿って摘み形状の部位がジッパーの上側のシートフィルムに形成された状態にシートフィルムが切り裂かれる。
【００１３】
そのため、シートフィルムを切り裂いた後に、閉じられているジッパーを開く際には、シートフィルムの摘み形状の部位を摘んでジッパーを開くことができるので、従来のようにジッパーの上側のシート部分が非常に小さい状態で、その小さいシート部分を摘んでジッパーを開く場合と異なり、ジッパーを開く動作を非常に容易に行うことができる。
【００１４】
また、脆弱部位を表側のシートフィルムと裏側のシートフィルムの両方の面に形成し、表側のシートフィルムに形成する脆弱部位と裏側のシートフィルムに形成する脆弱部位は完全に重なり合わないように位置をずらして又は大きさを異にして設けると、脆弱部位によって形成されるシートフィルムの前記摘み形状の部位が完全に重なり合わないように形成されるので、シートフィルムの摘み形状の部位を摘んでジッパーを開く動作を行いやすくできる。
【００１５】
さらに、脆弱部位は他の面箇所よりもフィルム厚さを薄くすることによって形成すれば、非常に容易に、かつ、的確に脆弱部位を形成できる。
【００１６】
さらに。脆弱部位は袋の内側となるシートフィルム面に凹部を形成することで薄肉化して形成し、脆弱部位の袋の外側のフィルム面部位は凹凸のない平面部位と成すことにより、人が袋の外側のフィルム面から脆弱部位の形成部を見ることがないので、商品収容袋の外観を阻害することなく、例えばデザイン性を向上させることができてデザイン形成の自由度を上げることができ、かつ、切り口からシートフィルムを切り裂くという人の手による動作によって容易に前記摘み形状の部位を形成してジッパーを開きやすくできる。
【図面の簡単な説明】
【００１７】
【図１】本発明に係る商品収容袋の一実施例を説明するための模式的な正面図である。
【図２】実施例の商品収容袋のジッパー上側を切り裂く前の状態を説明するための模式的な一部正面図である。
【図３】実施例の商品収容袋のジッパーのシートフィルムの構成例を説明するための模式的な分解図である。
【図４】実施例の商品収容袋のジッパーを開いた状態例を説明するための模式的な一部斜視図である。
【図５】実施例の商品収容袋のシートフィルムに形成される脆弱部位の例を説明するための模式的な正面図である。
【図６】商品収容袋の切り口の例を示す模式的な正面説明図である。
【図７】商品収容袋のシートフィルムに形成される脆弱部位の他の例を説明するための模式的な正面図である。
【図８】本発明に係る商品収容袋の他の実施例を説明するための、模式的な正面図（ａ）と商品収容袋のジッパーを開いた状態例を示す斜視図（ｂ）である。
【図９】従来の商品収容袋の一例を説明するための模式的な正面図である。
【図１０】図９に示すような商品収容袋の形成方法例を説明するための模式的な正面説明図である。
【図１１】商品収容袋の別の例を説明するための模式的な正面図である。
【図１２】図１１に示すような商品収容袋の形成方法例を説明するための模式的な正面説明図である。
【発明を実施するための形態】
【００１８】
以下、本発明の実施の形態を図面に基づき説明する。なお、本実施例の説明において、従来例と同一名称部分には同一符号を付し、その重複説明は省略または簡略化する。
【実施例１】
【００１９】
図１には、本発明に係る商品収容袋１の一実施例が模式的に示されている。本実施例は、図９に示した従来の商品収容袋とほぼ同様に構成されており、切り口９，１０からシートフィルム３を切り裂く前の状態は図９（ａ）と同様に見えるが、本実施例では、商品収容袋１を構成する表側のシートフィルム３ａの面に、図２の破線に示されるように、切り口９，１０を開いて袋を横断方向に切り裂くときにその切り裂きの進行方向の途中となる箇所に、他の面箇所よりも機械的強度を弱くした脆弱部位１４が摘み形状の輪郭を象る部位に設けられているという、非常に特有の構成を有している。
【００２０】
本実施例において、脆弱部位１４は、表面のシートフィルム３ａの外側のフィートフィルム面（商品収容袋１の表面側）からは見えない内側のシートフィルム面に形成されているものでいる。つまり、図３に示されるように、シートフィルム３（３ａ，３ｂ）は、例えば２枚のフィルム２３（２３ａ，２３ｂ）により形成されているといったように、複数のフィルムが重ね合わせて一体化されて形成されており、シートフィルム３ａに形成されている脆弱部位１４は、シートフィルム３ａにおいて袋の内側となるシートフィルム面（この例ではフィルム２３ａの面）に凹部１５を形成することで薄肉化して、他の面箇所よりもフィルム厚さを薄くすることによって形成されている。そして、シートフィルム３ａにおいて脆弱部位１４の袋の外側のフィルム面部位（フィルム２３ｂの面）は凹凸のない平面部位と成している。
【００２１】
なお、図を分かりやすくするために、図３においては、２枚のフィルム２３ａ，２３ｂを重ね合わせてシートフィルム３ａを形成した態様が示されており、切り口等の他の構成は省略して示しているが、シートフィルム３は、３枚以上の適宜の枚数のフィルム２３を重ね合わせて形成されていてもよい。つまり、重ね合わせるフィルム２３の枚数は特に限定されるものではなく、適宜設定されるものであり、少なくとも一番外側（商品収容袋１の表面側）のフィルム２３が凹凸のない平面部位と成していればよく、また、複数のフィルム２３を重ねてシートフィルム３を形成する場合には凹部１５を貫通の穴により形成してもよい。なお、本実施例において、シートフィルム３ｂを形成するフィルム２３には凹凸が形成されていない。
【００２２】
また、脆弱部位１４は、図５に示されるように、切り口９と切り口１０（図５には図示せず、図１等、参照）とを結ぶ線に沿った横断方向に直線状に形成されている直線状の部位１６と、この直線状に形成されている部位１６に沿って切り裂かれる切り裂きの進行方向の途中となる箇所に、摘み形状の輪郭を象る形状（例えば半楕円形状）に形成されている曲線状の部位１７とを有している。
【００２３】
本実施例では、脆弱部位１４を以上のような態様に形成することにより、図１、図４に示されるように、シートフィルム３ａに略半楕円形状の摘み形状の部位１３が形成され、この摘み形状の部位１３はジッパー２を閉じた状態において非常に摘みやすいので、摘み形状の部位１３ａを摘んでジッパー２を開く動作が非常に行いやすくなり、図４に示されるように開くことができる（図４は、図を分かりやすくするためにシートフィルム３ｂの内側の面に斜線を記している）。
【００２４】
なお、本発明は、前記実施例に限定されるものでなく、本発明の技術的範囲を逸脱しない範囲において様々な態様を採り得る。例えば前記実施例では、切り口９，１０を図６（ａ）に示されるようなＶ字形状に形成したが、切り口９，１０は例えば図６（ｂ）に示されるような形状としてもよい。また、商品収容袋１の両端側に切り口９，１０を形成せずに一端側（片端側）にのみ切り口を形成してもよい。
【００２５】
また、前記実施例では、脆弱部位１４は、図５に示したような直線状の部位１６と摘み形状の輪郭を象る形状（半楕円形状）に形成されている曲線状の部位１７とを有するように形成したが、図７（ａ）に示されるように、曲線状の部位１７のみにより形成することもできる。この場合、図５の直線状の部位１６に対応するような切り口９，１０を結ぶ線１８を横切るように曲線状の部位１７を形成することにより、前記実施例と同様の摘み形状の部位１３を形成することができる。
【００２６】
さらに、脆弱部位１４は、図７（ｂ）、（ｃ）に示されるような、否貫通状態のミシン目状の凹部１５（シートフィルム３の態様によって、内側のフィルムのみに形成する場合は貫通穴でもよい）により形成してもよいし、脆弱部位１４により形成される摘み形状の部位１３の形状も半楕円形状とは限らず、適宜設定されるものである。
【００２７】
さらに、前記実施例では、商品収容袋１を構成する表側のシートフィルム３ａの面にのみ脆弱部位１４を形成したが、脆弱部位１４は裏側のシートフィルム３ｂ面にのみ形成されていてもよい。また、表側のシートフィルム３ａの面と裏側のシートフィルム３ｂの面の両方に脆弱部位１４を形成してもよい。この場合、表側のシートフィルム３ａに形成する脆弱部位１４と裏側のシートフィルム３ｂに形成する脆弱部位１４とが同じ位置に同じ大きさに形成されて、重なり合うように形成されていても、従来例に比べてジッパー２を開く動作を容易にできるようになるが、以下のような構成がより一層好ましい。
【００２８】
例えば、図８（ａ）に示されるように、表側のシートフィルム３ａに形成する脆弱部位１４と裏側のシートフィルム３ｂに形成する脆弱部位１４は完全に重なり合わないように位置をずらして設けるとよい。なお、図８（ｂ）には、このように形成した場合の商品収容袋１において、ジッパー２を開いた状態例が示されており、分かりやすくするために裏側のシートフィルム３ｂには斜線を記している。
【００２９】
また、表側のシートフィルム３ａに形成する脆弱部位１４と裏側のシートフィルム３ｂに形成する脆弱部位１４の大きさを異にすることによって、表側のシートフィルム３ａに形成する摘み形状の部位１３と裏側のシートフィルム３ｂに形成する摘み形状の部位１３とが完全に重なり合わないように形成してもよい。
【００３０】
さらに、前記実施例で形成したような脆弱部位１４を表と裏のシートフィルム３ａ，３ｂの何れにも形成せず、表側のシートフィルム３ａと裏側のシートフィルム３ｂの強度を互いに異なる強度とし、シートフィルム３ａ，３ｂを切り裂いたときに、表側のシートフィルム３ａ側の切り口と裏側のシートフィルム３ｂの切り口とが不揃いとなるようにしてもよい（従来例のように切り口が直線状に揃った切り口ではなく例えば波形やギザギザ状になる等のようにしてもよい）。その場合、ジッパー２の上側に残る表側のシートフィルム３ａと裏側のシートフィルム３ｂの部位とが重なり合わない部位が形成されるので、その部位を摘むとジッパー２を開く作業が行いやすくなるようにできる。
【００３１】
さらに、前記実施例では複数のフィルム２３を重ねてシートフィルム３が形成されていたが、シートフィルム３は１枚のフィルムにより形成されてもよい。その内側のシートフィルム面に凹部１５を形成することで薄肉化して脆弱部位１４を形成し、脆弱部位１４の袋の外側のフィルム面部位は凹凸のない平面部位と成していてもよいし、シートフィルム３を薄肉化することにより脆弱部位１４を形成し、表面のシートフィルム３からも脆弱部位１４が見えるように形成されていてもよい。
【００３２】
さらに、前記実施例では、図１のドットで示したように、２枚のシートフィルム３が重なり合う端縁同士（上端、下端、両側端）がいずれも接着端縁４，５，６，７と成しているものとしたが、図１１（ａ）〜（ｄ）に示すような接着端縁３〜７を有する商品収容袋１に本発明を適用してもよい。なお、図１１（ａ）〜（ｄ）に示される商品収容袋１は、図１２（ａ）、（ｂ）に示されるように、１枚のシートフィルム３を折り重ねて表側のシートフィルム３ａと裏側のシートフィルム３ｂとが形成されるようにしている。
【００３３】
このような例においては、折り目部分においては表側のシートフィルム３ａと裏側のシートフィルム３ｂとが連通する構成と成しているが、折り重ねる前のシートフィルム３における重ね合わせ後の端縁同士（折り目部分を除く３つの端部）は接着されており、本発明の商品収容袋１における接着端縁の構成は、図１１（ａ）〜（ｄ）に示されるような態様も含むものである。また、輪形状（リング状）のシートフィルム３を折り重ねて商品収容袋１を形成してもよく、この場合は上下の接着端縁７，５のみ形成される態様か、両側部の接着端縁４，６のみ形成される態様となるが、このような態様の商品収容袋１にも本発明は適用できる。
【産業上の利用可能性】
【００３４】
本発明の商品収容袋は、簡単な構成で、ジッパーを切り裂いて開いた後、閉じたジッパーを開きやすいので、食品等を密閉状に収容する商品収容袋として利用できる。
【符号の説明】
【００３５】
１                商品収容袋
２                ジッパー
３                シートフィルム
４，５，６，７    接着端縁
８                商品の収容空間
９，１０          切り口
１２              シート部分
１３              摘み形状の部位
１４              脆弱部位
１５              凹部
１７              曲線状の部位
【図１】
2018203332.tif 000003
【図２】
2018203332.tif 000004
【図３】
2018203332.tif 000005
【図４】
2018203332.tif 000006
【図５】
2018203332.tif 000007
【図６】
2018203332.tif 000008
【図７】
2018203332.tif 000009
【図８】
2018203332.tif 000010
【図９】
2018203332.tif 000011
【図１０】
2018203332.tif 000012
【図１１】
2018203332.tif 000013
【図１２】
2018203332.tif 000014
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
シートフィルムが重なり合う端縁同士が接着されて内部空間が密閉された袋が形成され、当該袋は少なくとも一側端に接着端縁を具備し、当該袋には上端の縁よりも下方側の位置に当該袋の両側端間を横断する態様で袋内空間を上側と下側に開閉自在に区画するジッパーが設けられ、当該ジッパーの下側の袋の空間を商品の収容空間と成し、前記ジッパーと袋の上端縁との間の前記一側端の接着端縁には切り口が形成されている商品収容袋であって、前記袋を構成する表側のシートフィルムと裏側のシートフィルムの少なくとも一方のシートフィルムの面には前記切り口を開いて袋を横断方向に切り裂くときにその切り裂きの進行方向の途中となる箇所に他の面箇所よりも機械的強度を弱くした脆弱部位が摘み形状の輪郭を象る形状態様で設けられており、前記一側端の接着端縁の切り口から袋の他方側の側端に向けて水平方向に伸張する仮想の線を前記袋を横断方向に切り裂くときにその切り裂きの進行方向を示す仮想の線と想定したときに、前記機械的強度を弱くした摘み形状の輪郭を象る形状は前記仮想の線よりも下方の位置を起点として、該起点から上方へ向い前記仮想の線を越えて該仮想の線よりも上方位置から折り返して下方へ向う摘み形状の輪郭形状と成して、前記切り口を開いて袋を横断方向に切り裂くときにその切り裂きの進行先方が前記機械的強度を弱くした摘み形状の輪郭を象る形状に交差する方向から到達する構成としたことを特徴とする商品収容袋。
【請求項２】
脆弱部位の摘み形状の輪郭を象る形状は表側のシートフィルムと裏側のシートフィルムの両方の面に形成され、表側のシートフィルムに形成する脆弱部位の摘み形状の輪郭を象る形状と裏側のシートフィルムに形成する脆弱部位の摘み形状の輪郭を象る形状は完全に重なり合わないように位置をずらして又は大きさを異にして設けられていることを特徴とする請求項１記載の商品収容袋。
【請求項３】
脆弱部位の摘み形状の輪郭を象る形状は他の面箇所よりもフィルム厚さを薄くすることによって形成されていることを特徴とする請求項１または請求項２記載の商品収容袋。
【請求項４】
脆弱部位の摘み形状の輪郭を象る形状は袋の内側となるシートフィルム面に凹部を形成することで薄肉化して形成し、脆弱部位の袋の外側のフィルム面部位は凹凸のない平面部位と成したことを特徴とする請求項１または請求項２または請求項３記載の商品収容袋。
【手続補正２】
【補正対象書類名】明細書
【補正対象項目名】０００８
【補正方法】変更
【補正の内容】
【０００８】
上記目的を達成するために、本発明は次のような構成をもって課題を解決するための手段としている。すなわち、第１の発明は、シートフィルムが重なり合う端縁同士が接着されて内部空間が密閉された袋が形成され、当該袋は少なくとも一側端に接着端縁を具備し、当該袋には上端の縁よりも下方側の位置に当該袋の両側端間を横断する態様で袋内空間を上側と下側に開閉自在に区画するジッパーが設けられ、当該ジッパーの下側の袋の空間を商品の収容空間と成し、前記ジッパーと袋の上端縁との間の前記一側端の接着端縁には切り口が形成されている商品収容袋であって、前記袋を構成する表側のシートフィルムと裏側のシートフィルムの少なくとも一方のシートフィルムの面には前記切り口を開いて袋を横断方向に切り裂くときにその切り裂きの進行方向の途中となる箇所に他の面箇所よりも機械的強度を弱くした脆弱部位が摘み形状の輪郭を象る形状態様で設けられており、前記一側端の接着端縁の切り口から袋の他方側の側端に向けて水平方向に伸張する仮想の線を前記袋を横断方向に切り裂くときにその切り裂きの進行方向を示す仮想の線と想定したときに、前記機械的強度を弱くした摘み形状の輪郭を象る形状は前記仮想の線よりも下方の位置を起点として、該起点から上方へ向い前記仮想の線を越えて該仮想の線よりも上方位置から折り返して下方へ向う摘み形状の輪郭形状と成して、前記切り口を開いて袋を横断方向に切り裂くときにその切り裂きの進行先方が前記機械的強度を弱くした摘み形状の輪郭を象る形状に交差する方向から到達する構成をもって課題を解決するための手段としている。
【手続補正３】
【補正対象書類名】明細書
【補正対象項目名】０００９
【補正方法】変更
【補正の内容】
【０００９】
また、第２の発明は、前記第１の発明の構成に加え、前記脆弱部位の摘み形状の輪郭を象る形状は表側のシートフィルムと裏側のシートフィルムの両方の面に形成され、表側のシートフィルムに形成する脆弱部位の摘み形状の輪郭を象る形状と裏側のシートフィルムに形成する脆弱部位の摘み形状の輪郭を象る形状は完全に重なり合わないように位置をずらして又は大きさを異にして設けられていることを特徴とする。
【手続補正４】
【補正対象書類名】明細書
【補正対象項目名】００１０
【補正方法】変更
【補正の内容】
【００１０】
さらに、第３の発明は、前記第１または第２の発明の構成に加え、前記脆弱部位の摘み形状の輪郭を象る形状は他の面箇所よりもフィルム厚さを薄くすることによって形成されていることを特徴とする。
【手続補正５】
【補正対象書類名】明細書
【補正対象項目名】００１１
【補正方法】変更
【補正の内容】
【００１１】
さらに、第４の発明は、前記第１または第２または第３の発明の構成に加え、前記脆弱部位の摘み形状の輪郭を象る形状は袋の内側となるシートフィルム面に凹部を形成することで薄肉化して形成し、脆弱部位の袋の外側のフィルム面部位は凹凸のない平面部位と成したことを特徴とする。
【手続補正６】
【補正対象書類名】明細書
【補正対象項目名】００１２
【補正方法】変更
【補正の内容】
【００１２】
本発明によれば、シートフィルムが重なり合う端縁同士が接着されて内部空間が密閉された袋の両側端間を横断する態様で、袋内空間を上側と下側に開閉自在に区画するジッパーを有しており、そのジッパーと袋の上端の縁との間のシートフィルムを切り口から切り裂いて用いるが、表側のシートフィルムと裏側のシートフィルムの少なくとも一方のシートフィルムにおけるジッパーと袋の上端の縁との間のシートフィルムの面には、前記切り口を開いて袋を横断方向に切り裂くときにその切り裂きの進行方向の途中となる箇所に他の面箇所よりも機械的強度を弱くした脆弱部位が摘み形状の輪郭を象る部位に設けられているので、シートフィルムを切り裂く際に、前記脆弱部位の摘み形状の輪郭を象る形状に沿って摘み形状の部位がジッパーの上側のシートフィルムに形成された状態にシートフィルムが切り裂かれる。
【手続補正７】
【補正対象書類名】明細書
【補正対象項目名】００１４
【補正方法】変更
【補正の内容】
【００１４】
また、脆弱部位を表側のシートフィルムと裏側のシートフィルムの両方の面に形成し、表側のシートフィルムに形成する脆弱部位の摘み形状の輪郭を象る形状と裏側のシートフィルムに形成する脆弱部位の摘み形状の輪郭を象る形状は完全に重なり合わないように位置をずらして又は大きさを異にして設けると、脆弱部位によって形成されるシートフィルムの前記摘み形状の部位が完全に重なり合わないように形成されるので、シートフィルムの摘み形状の部位を摘んでジッパーを開く動作を行いやすくできる。
【手続補正８】
【補正対象書類名】明細書
【補正対象項目名】００１５
【補正方法】変更
【補正の内容】
【００１５】
さらに、摘み形状の輪郭を象る形状の脆弱部位は他の面箇所よりもフィルム厚さを薄くすることによって形成すれば、非常に容易に、かつ、的確に脆弱部位を形成できる。
【手続補正９】
【補正対象書類名】明細書
【補正対象項目名】００１６
【補正方法】変更
【補正の内容】
【００１６】
さらに。摘み形状の輪郭を象る形状の脆弱部位は袋の内側となるシートフィルム面に凹部を形成することで薄肉化して形成し、該脆弱部位の袋の外側のフィルム面部位は凹凸のない平面部位と成すことにより、人が袋の外側のフィルム面から脆弱部位の形成部を見ることがないので、商品収容袋の外観を阻害することなく、例えばデザイン性を向上させることができてデザイン形成の自由度を上げることができ、かつ、切り口からシートフィルムを切り裂くという人の手による動作によって容易に前記摘み形状の部位を形成してジッパーを開きやすくできる。
【手続補正１０】
【補正対象書類名】明細書
【補正対象項目名】００１７
【補正方法】変更
【補正の内容】
【００１７】
【図１】本発明に係る商品収容袋の一実施例を説明するための模式的な正面図である。
【図２】実施例（脆弱部位１４は参考例の形態）の商品収容袋のジッパー上側を切り裂く前の状態を説明するための模式的な一部正面図である。
【図３】実施例（脆弱部位１４は参考例の形態）の商品収容袋のジッパーのシートフィルムの構成例を説明するための模式的な分解図である。
【図４】実施例の商品収容袋のジッパーを開いた状態例を説明するための模式的な一部斜視図である。
【図５】実施例の商品収容袋のシートフィルムに形成される脆弱部位の参考例を説明するための模式的な正面図である。
【図６】商品収容袋の切り口の例を示す模式的な正面説明図である。
【図７】商品収容袋のシートフィルムに形成される脆弱部位の実施例を参考例と共に説明するための模式的な正面図である。
【図８】本発明に係る商品収容袋の他の実施例を説明するための、模式的な正面図（ａ）と商品収容袋のジッパーを開いた状態例を示す斜視図（ｂ）である。
【図９】従来の商品収容袋の一例を説明するための模式的な正面図である。
【図１０】図９に示すような商品収容袋の形成方法例を説明するための模式的な正面説明図である。
【図１１】商品収容袋の別の例を説明するための模式的な正面図である。
【図１２】図１１に示すような商品収容袋の形成方法例を説明するための模式的な正面説明図である。
【手続補正１１】
【補正対象書類名】明細書
【補正対象項目名】００１９
【補正方法】変更
【補正の内容】
【００１９】
図１には、本発明に係る商品収容袋１の一実施例が模式的に示されている。本実施例は、図９に示した従来の商品収容袋とほぼ同様に構成されており、切り口９，１０からシートフィルム３を切り裂く前の状態は図９（ａ）と同様に見えるが、本実施例では、商品収容袋１を構成する表側のシートフィルム３ａの面に、切り口９，１０を開いて袋を横断方向に切り裂くときにその切り裂きの進行方向の途中となる箇所に、他の面箇所よりも機械的強度を弱くした脆弱部位が摘み形状の輪郭を象る部位に設けられているという、非常に特有の構成を有している。図２においては脆弱部位１４が参考例の形態で示されているが、実施例の摘み形状の輪郭を象る部位に設けられる脆弱部位の形態は後述の図７（ａ）、（ｃ）に示されるものである。
【手続補正１２】
【補正対象書類名】明細書
【補正対象項目名】００２０
【補正方法】変更
【補正の内容】
【００２０】
本実施例において、脆弱部位は、表面のシートフィルム３ａの外側のシートフィルム面（商品収容袋１の表面側）からは見えない内側のシートフィルム面に形成されているものでいる。つまり、図３に示されるように、シートフィルム３（３ａ，３ｂ）は、例えば２枚のフィルム２３（２３ａ，２３ｂ）により形成されているといったように、複数のフィルムが重ね合わせて一体化されて形成されており、シートフィルム３ａに形成されている脆弱部位は、シートフィルム３ａにおいて袋の内側となるシートフィルム面（この例ではフィルム２３ａの面）に凹部１５を形成することで薄肉化して、他の面箇所よりもフィルム厚さを薄くすることによって形成されている。そして、シートフィルム３ａにおいて脆弱部位の袋の外側のフィルム面部位（フィルム２３ｂの面）は凹凸のない平面部位と成している。図３に示されている脆弱部位１４は参考例の形態で示されているが、実施例においては一例として後述の図７（ａ）或いは図７（ｃ）に示される曲線状の形態１７の脆弱部位が形成される。
【手続補正１３】
【補正対象書類名】明細書
【補正対象項目名】００２２
【補正方法】変更
【補正の内容】
【００２２】
参考例の脆弱部位１４は、図５に示されるように、切り口９と切り口１０（図５には図示せず、図１等、参照）とを結ぶ線に沿った横断方向に直線状に形成されている直線状の部位１６と、この直線状に形成されている部位１６に沿って切り裂かれる切り裂きの進行方向の途中となる箇所に、摘み形状の輪郭を象る形状（例えば半楕円形状）に形成されている曲線状の部位１７とを有している。
【手続補正１４】
【補正対象書類名】明細書
【補正対象項目名】００２３
【補正方法】変更
【補正の内容】
【００２３】
参考例では、脆弱部位１４を以上のような態様に形成することにより、実施例では図７（ａ）或いは図７（ｃ）に示すように、脆弱部位を曲線状の形態１７で形成することにより、それぞれ図１、図４に示されるように、シートフィルム３ａに略半楕円形状の摘み形状の部位１３が形成され、この摘み形状の部位１３はジッパー２を閉じた状態において非常に摘みやすいので、摘み形状の部位１３ａを摘んでジッパー２を開く動作が非常に行いやすくなり、図４に示されるように開くことができる（図４は、図を分かりやすくするためにシートフィルム３ｂの内側の面に斜線を記している）。
【手続補正１５】
【補正対象書類名】明細書
【補正対象項目名】００２５
【補正方法】変更
【補正の内容】
【００２５】
また、前記参考例では、脆弱部位１４は、図５に示したような直線状の部位１６と摘み形状の輪郭を象る形状（半楕円形状）に形成されている曲線状の部位１７とを有するように形成したが、実施例のように、脆弱部位を図７（ａ）に示されるように、曲線状の部位１７のみにより形成することもできる。この場合、図５の参考例の直線状の部位１６に対応するような切り口９，１０を結ぶ線１８を横切るように実施例の曲線状の部位１７を形成することにより、前記参考例と同様の摘み形状の部位１３を形成することができる。
【手続補正１６】
【補正対象書類名】明細書
【補正対象項目名】００２６
【補正方法】変更
【補正の内容】
【００２６】
さらに、脆弱部位は、参考例の図７（ｂ）、実施例の図７（ｃ）に示されるような、否貫通状態のミシン目状の凹部１５（シートフィルム３の態様によって、内側のフィルムのみに形成する場合は貫通穴でもよい）により形成してもよいし、脆弱部位により形成される摘み形状の部位１３の形状も半楕円形状とは限らず、適宜設定されるものである。
【手続補正１７】
【補正対象書類名】明細書
【補正対象項目名】００２７
【補正方法】変更
【補正の内容】
【００２７】
さらに、前記実施例では、商品収容袋１を構成する表側のシートフィルム３ａの面にのみ脆弱部位のつまみ形状の輪郭を象る形状の曲線状の部位１７を形成したが、その脆弱部位（曲線状の部位１７）は裏側のシートフィルム３ｂ面にのみ形成されていてもよい。また、表側のシートフィルム３ａの面と裏側のシートフィルム３ｂの面の両方に脆弱部位（曲線状の部位１７）を形成してもよい。この場合、表側のシートフィルム３ａに形成する脆弱部位（曲線状の部位１７）と裏側のシートフィルム３ｂに形成する脆弱部位（曲線状の部位１７）とが同じ位置に同じ大きさに形成されて、重なり合うように形成されていても、従来例に比べてジッパー２を開く動作を容易にできるようになるが、以下のような構成がより一層好ましい。
【手続補正１８】
【補正対象書類名】明細書
【補正対象項目名】００２８
【補正方法】変更
【補正の内容】
【００２８】
例えば、図８（ａ）に示されるように、表側のシートフィルム３ａに形成する脆弱部位（曲線状の部位１７）と裏側のシートフィルム３ｂに形成する脆弱部位（曲線状の部位１７）は完全に重なり合わないように位置をずらして設けるとよい。なお、図８（ｂ）には、このように形成した場合の商品収容袋１において、ジッパー２を開いた状態例が示されており、分かりやすくするために裏側のシートフィルム３ｂには斜線を記している。
【手続補正１９】
【補正対象書類名】明細書
【補正対象項目名】００２９
【補正方法】変更
【補正の内容】
【００２９】
また、表側のシートフィルム３ａに形成する脆弱部位（曲線状の部位１７）と裏側のシートフィルム３ｂに形成する脆弱部位（曲線状の部位１７）の大きさを異にすることによって、表側のシートフィルム３ａに形成する摘み形状の部位１３と裏側のシートフィルム３ｂに形成する摘み形状の部位１３とが完全に重なり合わないように形成してもよい。
【手続補正２０】
【補正対象書類名】明細書
【補正対象項目名】００３０
【補正方法】変更
【補正の内容】
【００３０】
さらに、参考例として、脆弱部位を表と裏のシートフィルム３ａ，３ｂの何れにも形成せず、表側のシートフィルム３ａと裏側のシートフィルム３ｂの強度を互いに異なる強度とし、シートフィルム３ａ，３ｂを切り裂いたときに、表側のシートフィルム３ａ側の切り口と裏側のシートフィルム３ｂの切り口とが不揃いとなるようにしてもよい（従来例のように切り口が直線状に揃った切り口ではなく例えば波形やギザギザ状になる等のようにしてもよい）。その場合、ジッパー２の上側に残る表側のシートフィルム３ａと裏側のシートフィルム３ｂの部位とが重なり合わない部位が形成されるので、その部位を摘むとジッパー２を開く作業が行いやすくなるようにできる。
【手続補正２１】
【補正対象書類名】明細書
【補正対象項目名】００３１
【補正方法】変更
【補正の内容】
【００３１】
さらに、前記実施例では複数のフィルム２３を重ねてシートフィルム３が形成されていたが、シートフィルム３は１枚のフィルムにより形成されてもよい。その内側のシートフィルム面に凹部１５を形成することで薄肉化して脆弱部位（曲線状の部位１７）を形成し、脆弱部位（曲線状の部位１７）の袋の外側のフィルム面部位は凹凸のない平面部位と成していてもよいし、シートフィルム３を薄肉化することにより脆弱部位（曲線状の部位１７）を形成し、表面のシートフィルム３からも脆弱部位（曲線状の部位１７）が見えるように形成されていてもよい。